(57)【要約】【課題】太陽電池式照明灯において蓄電池の収容スペースを小さくしつつ、蓄電池の交換を容易に行なう。【解決手段】光を受光して発電する太陽電池パネルと、太陽電池パネルによって発電された電気によって発光する光源を含む灯具と、太陽電池パネルによって発電された電気の一部を蓄える蓄電池３３０と、蓄電池３３０を収容する電源ボックス３０と、太陽電池パネル、灯具および電源ボックス３０を支持する支柱とを備える。電源ボックス３０は、収容した蓄電池３３０の下方に位置して蓄電池３３０を支持する棚板３０３と、電源ボックス３０に対して移動可能に棚板３０３上に配置されて蓄電池３３０が載置される電池受部３４０とを含む。【選択図】図４
2012146550.tif 000002
【特許請求の範囲】
【請求項１】
光を受光して発電する太陽電池パネルと、
前記太陽電池パネルによって発電された電気によって発光する光源を含む灯具と、
前記太陽電池パネルによって発電された電気の一部を蓄える蓄電池と、
前記蓄電池を収容する電池収容部と、
前記太陽電池パネル、前記灯具および前記電池収容部を支持する支柱と
を備え、
前記電池収容部は、収容した前記蓄電池の下方に位置して前記蓄電池を支持する電池支持部と、前記電池収容部に対して移動可能に前記電池支持部上に配置されて前記蓄電池が載置される電池受部とを含む、太陽電池式照明灯。
【請求項２】
前記電池受部は、前記蓄電池が上面上に載置される主部と、該主部の端部の少なくとも一部から上方に延設された把持部とを含む、請求項１に記載の太陽電池式照明灯。
【請求項３】
前記把持部が前記主部の端部の略全周から延設されている、請求項２に記載の太陽電池式照明灯。
【請求項４】
前記電池受部は、前記主部の下面に設けられて前記電池支持部と接触するように下方に突出した突出部を有する、請求項２または３に記載の太陽電池式照明灯。
【請求項５】
前記電池収容部は、鉛直方向に複数の前記蓄電池を収容し、
下側から２段目以上の位置に収容される前記蓄電池を支持する前記電池支持部は、前記蓄電池の下面の一部が前記電池支持部に非接触となるように前記蓄電池を支持する、請求項１に記載の太陽電池式照明灯。
【発明の詳細な説明】
【技術分野】
【０００１】
本発明は、太陽電池式照明灯に関し、特に、蓄電池を備えた太陽電池式照明灯に関する。
【背景技術】
【０００２】
自然エネルギーを用いて発電する発電部材と、この発電部材により得られた電気を蓄電する蓄電池と、蓄電された電気を用いて点灯する照明部とを支柱に設けた照明灯を開示した先行文献として特許文献１がある。
【０００３】
特許文献１に記載された太陽電池式照明灯においては、支柱の内部が中空状とされている。支柱の内部には、蓄電池および電装部品を載置する複数の載置棚を有する棚組立部材が配設されている。支柱の側面には、蓄電池および電装部品を交換可能とする開口部が設けられている。
【先行技術文献】
【特許文献】
【０００４】
【特許文献１】特開２０１０−４０３０３号公報
【発明の概要】
【発明が解決しようとする課題】
【０００５】
太陽電池式照明灯の小型化のためには、蓄電池を収容するスペースが小さいことが好ましい。しかし、蓄電池を収容するスペースを小さくすると、蓄電池を交換する際の作業性が悪くなる。
【０００６】
本発明は上記の問題点に鑑みてなされたものであって、蓄電池の収容スペースを小さくしつつ、蓄電池の交換を容易に行なうことができる、太陽電池式照明灯を提供することを目的とする。
【課題を解決するための手段】
【０００７】
本発明に基づく太陽電池式照明灯は、光を受光して発電する太陽電池パネルと、太陽電池パネルによって発電された電気によって発光する光源を含む灯具と、太陽電池パネルによって発電された電気の一部を蓄える蓄電池と、蓄電池を収容する電池収容部と、太陽電池パネル、灯具および電池収容部を支持する支柱とを備える。電池収容部は、収容した蓄電池の下方に位置して蓄電池を支持する電池支持部と、電池収容部に対して移動可能に電池支持部上に配置されて蓄電池が載置される電池受部とを含む。
【０００８】
好ましくは、電池受部は、蓄電池が上面上に載置される主部と、主部の端部の少なくとも一部から上方に延設された把持部とを含む。好ましくは、把持部が主部の端部の略全周から延設されている。
【０００９】
好ましくは、電池受部は、主部の下面に設けられて電池支持部と接触するように下方に突出した突出部を有する。
【００１０】
本発明の一形態においては、電池収容部は、鉛直方向に複数の蓄電池を収容する。下側から２段目以上の位置に収容される蓄電池を支持する電池支持部は、蓄電池の下面の一部が電池支持部に非接触となるように蓄電池を支持する。
【発明の効果】
【００１１】
本発明によれば、太陽電池式照明灯において蓄電池の収容スペースを小さくしつつ、蓄電池の交換を容易に行なうことができる。
【図面の簡単な説明】
【００１２】
【図１】本発明の実施形態１に係る太陽電池式照明灯の外観を示す正面図である。
【図２】同実施形態に係る太陽電池式照明灯の外観を示す側面図である。
【図３】電源ボックスを拡大して示す斜視図である。
【図４】電源ボックスの構成を示す分解斜視図である。
【図５】同実施形態の電池受部の外観を示す正面図である。
【図６】図５の電池受部を矢印ＶＩから見た図である。
【図７】下から２段目の位置に収容されている蓄電池を電池受部とともにスライドさせた状態を示す斜視図である。
【図８】同実施形態の第１変形例の電池受部の外観を示す正面図である。
【図９】図８の電池受部を矢印ＩＸから見た図である。
【図１０】同実施形態の第２変形例の電池受部の外観を示す底面図である。
【図１１】同実施形態の第３変形例の電池受部の外観を示す底面図である。
【図１２】本発明の実施形態２に係る太陽電池式照明灯の電源ボックス内を示す正面図である。
【図１３】同実施形態の電池支持部の外観を示す平面図である。
【図１４】同実施形態の変形例の電源ボックス内を示す正面図である。
【図１５】変形例の電池支持部の外観を示す平面図である。
【図１６】本発明の実施形態３に係る太陽電池式照明灯の外観を示す側面図である。
【図１７】同実施形態に係る電池収容部の一部の構成を示す正面図である。
【発明を実施するための形態】
【００１３】
以下、本発明の実施形態１に係る太陽電池式照明灯について図面を参照して説明する。以下の実施形態の説明においては、図中の同一または相当部分には同一符号を付して、その説明は繰返さない。
【００１４】
（実施形態１）
図１は、本発明の実施形態１に係る太陽電池式照明灯の外観を示す正面図である。図２は、本実施形態に係る太陽電池式照明灯の外観を示す側面図である。
【００１５】
図１，２に示すように、本実施形態の太陽電池式照明灯１は、光を受光して発電する太陽電池パネル１０と、太陽電池パネル１０によって発電された電気によって発光する光源を含む灯具２０とを備える。また、太陽電池式照明灯１は、太陽電池パネル１０によって発電された電気の一部を蓄える蓄電池と、蓄電池を収容する電池収容部である電源ボックス３０と、太陽電池パネル１０、灯具２０および電源ボックス３０を支持する支柱４０とを備える。
【００１６】
本実施形態の太陽電池式照明灯１においては、電池収容部である電源ボックス３０が、支柱４０の側面に取付けられている。図３は、電源ボックスを拡大して示す斜視図である。図４は、電源ボックスの構成を示す分解斜視図である。
【００１７】
図３，４に示すように、電源ボックス３０は、側壁部３００と、側壁部３００と繋がっている底部３０２と、蓋部３１０と、天井部３２０とから外形が形成されている。天井部３２０は、図示しないねじにより側壁部３００と締結される。
【００１８】
蓋部３１０は、側壁部３００の対向する側壁に設けられたスライド用嵌合部に対応した嵌合部を有している。天井部３２０を取り外して、蓋部３１０が側壁部３００に取付けられている状態から、側壁部３００に対して蓋部３１０を上方にスライドすることにより側壁部３００から蓋部３１０を取り外すことができる。
【００１９】
側壁部３００には、支柱４０と接触する側壁に、支柱４０の外形に沿うように形成された湾曲面を有する支柱受け部３０１が設けられている。
【００２０】
電源ボックス３０の内部には、複数の蓄電池３３０が収容される。複数の蓄電池３３０は、鉛直方向に配列される。そのため、側壁部３００には、蓄電池３３０を支持する電池支持部である棚板３０３が連結されている。言い換えると、電池収容部は、収容した蓄電池３３０の下方に位置して蓄電池３３０を支持する電池支持部を含む。なお、電池支持部には、底部３０２も含まれる。本実施形態の電源ボックス３０は、蓄電池３３０を３ヶ収容可能であるため棚板３０３が３枚設けられているが、蓄電池の収容個数および棚板の枚数はこれに限られない。本実施形態においては、棚板３０３は、金属製の板状部材を曲げ加工することにより作製したが、棚板３０３の材料は金属に限られず、たとえば、樹脂を用いてもよい。
【００２１】
図４においては、下から３段目の位置のみ蓄電池３３０が配置されているが、下から１段目から３段目の位置に蓄電池３３０が配置される。最も上に位置する棚板３０３の上すなわち下から４段目の位置にはコントローラ３５０が設置されている。
【００２２】
電源ボックス３０は、太陽電池式照明灯１の外観上の美観のため、および、材料コストを低減するために小型化されることが望まれる。そのため、図４に示すように、電源ボックス３０内に蓄電池３３０を収容した状態において、蓄電池３３０の外周にはほとんど空間が存在しない。
【００２３】
そのため、従来の太陽電池式照明灯においては、電源ボックス内に蓄電池を配置する際および電源ボックス内から蓄電池を取り出す際の作業性が非常に悪かった。特に、電源ボックス内に蓄電池を一度収容すると、蓄電池を手で掴むスペースがないため、蓄電池を蓋部３１０側に取り出すことが難しかった。
【００２４】
本実施形態の太陽電池式照明灯１においては、電源ボックス３０内において、棚板３０３または底部３０２上に電池受部３４０が配置されている。言い換えると、電池収容部は、電池収容部に対して移動可能に電池支持部上に配置されて蓄電池３３０が載置される電池受部を含む。
【００２５】
図５は、本実施形態の電池受部の外観を示す正面図である。図６は、図５の電池受部を矢印ＶＩから見た図である。
【００２６】
図５，６に示すように、電池受部３４０は、蓄電池が上面上に載置される主部３４２と、主部の端部の一部から上方に延設された把持部３４１とを有している。本実施形態においては、電池受部３４０は、樹脂材料を成形することにより作製したが、板状の金属を曲げ加工することにより把持部３４１を形成するようにしてもよい。
【００２７】
把持部３４１は、主部３４２上に蓄電池３３０を載置した状態で、電池受部３４０を電源ボックス３０に対して移動させる際に手で掴むところである。そのため、把持部３４１には、電池受部３４０を移動させる際の荷重が負荷するため、その荷重に耐える強度を有するように、電池受部３４０の材料および把持部３４１の大きさを決定する必要がある。
【００２８】
図４に示すように、把持部３４１は、主部３４２上に蓄電池３３０が載置された状態で蓋部３１０側に近接するように電源ボックス３０内に収容される。そのため、蓋部３１０を側壁部３００から取り外した状態において、把持部３４１を掴むことができる。
【００２９】
図７は、下から２段目の位置に収容されている蓄電池を電池受部とともにスライドさせた状態を示す斜視図である。図７に示すように、把持部３４１を掴んで蓋部３１０側に引出すことにより、電池受部３４０とその上に載置されている蓄電池３３０を容易に電源ボックス３０から取り出すことができる。
【００３０】
よって、本実施形態の太陽電池式照明灯１においては、電源ボックス３０の小型化を図ることによって、電源ボックス３０内に収容された蓄電池３３０の外周のスペースを削減しても、電池受部３４０を用いて蓄電池３３０の電源ボックス３０への出し入れを容易に行なうことができる。
【００３１】
図８は、本実施形態の第１変形例の電池受部の外観を示す正面図である。図９は、図８の電池受部を矢印ＩＸから見た図である。
【００３２】
図８，９に示すように、第１変形例の電池受部５４０は、把持部５４１が主部５４２の端部の全周から延設されている。このようにした場合、図９に示すように、主部５４２上に蓄電池３３０を載置した際に、蓄電池３３０の載置場所が限定されるため、電池受部５４０上にずれた状態で蓄電池３３０が載置されることを防止することができる。さらに、蓄電池３３０を載置した状態で電池受部３４０をスライドさせる際に、蓄電池３３０が電池受部３４０からずれ落ちることを防止することができる。
【００３３】
なお、第１変形例においては、主部５４２の端部の全周に把持部５４１を設けたが、電池受部５４０を板状の金属を曲げ加工して作製する場合などには、把持部５４１が主部５４２の４角には存在しなくてもよい。
【００３４】
図１０は、本実施形態の第２変形例の電池受部の外観を示す底面図である。図１１は、本実施形態の第３変形例の電池受部の外観を示す底面図である。
【００３５】
図１０に示すように、本実施形態の第２変形例の電池受部６４０の主部６４２の下面には、電源ボックス３０の棚板３０３と接触するように下方に突出した突出部６４３が形成されている。突出部６４３は、直方体形状を有し、互いに所定の間隔を置いて、蓋部３１０から支柱受部３０１に向かう方向に対して平行に延在するように設けられている。
【００３６】
突出部６４３を設けることにより、把持部６４１を掴んで電源ボックス３０内から蓄電池３３０を引出す際の、棚板３０３と電池受部６４０との摩擦抵抗が小さくなるため、容易に蓄電池３３０を引出すことができる。
【００３７】
図１１に示すように、本実施形態の第３変形例の電池受部７４０の主部７４２の下面には、電源ボックス３０の棚板３０３と接触するように下方に突出した突出部７４３が形成されている。突出部７４３は、半球状の形状を有し、互いに所定の間隔を置いて均等に配置されている。
【００３８】
突出部７４３を設けることにより、把持部７４１を掴んで電源ボックス３０内から蓄電池３３０を引出す際の、棚板３０３と電池受部７４０との摩擦抵抗が小さくなるため、容易に蓄電池３３０を引出すことができる。
【００３９】
なお、本実施形態においては、電源ボックス３０内において鉛直方向に複数の蓄電池３３０を配置したが、必ずしも鉛直方向に配置する場合に限られず、たとえば、水平方向に複数の蓄電池３３０を配置してもよい。この場合、電源ボックスが水平方向に長い形状を有することになる。
【００４０】
以下、本発明の実施形態２に係る太陽電池式照明灯について図面を参照して説明する。
（実施形態２）
本実施形態は、電池受部を底部３０２上にのみ設置し、電池支持部の形状を変更している点のみ実施形態１と異なるため、他の構成については説明を繰り返さない。
【００４１】
図１２は、本発明の実施形態２に係る太陽電池式照明灯の電源ボックス内を示す正面図である。図１３は、本実施形態の電池支持部の外観を示す平面図である。図１２においては、蓋部の内側から電源ボックス３０内を見た図を示している。
【００４２】
図１２，１３に示すように、本実施形態の棚板３０４には、蓄電池３３０が載置される主部の中央に開口部３０５が形成されている。そのため、棚板３０４上に載置された蓄電池３３０の下面の一部は、棚板３０４と非接触となる。言い換えると、下側から２段目以上の位置に収容される蓄電池３３０を支持する電池支持部は、蓄電池３３０の下面の一部が電池支持部に非接触となるように蓄電池３３０を支持する。
【００４３】
このようにすることにより、下側に配置された蓄電池３３０の上面と棚板３０４との間の隙間に手または治具を挿入して、開口部３０５によって棚板３０４と非接触となっている蓄電池３３０の下面と蓄電池３３０の側面とを保持して蓄電池３３０を電源ボックス３０から取り出すことができる。
【００４４】
なお、底部３０２上には電池受部３４０が設置されている。一番下側に配置された蓄電池３３０については、実施形態１と同様に、電池受部３４０の把持部３４１を摘んで引出すことにより電源ボックス３０から取り出すことができる。
【００４５】
本実施形態の太陽電池式照明灯においては、電源ボックス３０の小型化を図ることによって、電源ボックス３０内に収容された蓄電池３３０の外周のスペースを削減しても、電池受部３４０および棚板３０４の開口部３０５を用いて、蓄電池３３０の電源ボックス３０への出し入れを容易に行なうことができる。
【００４６】
図１４は、本実施形態の変形例の電源ボックス内を示す正面図である。図１５は、変形例の電池支持部の外観を示す平面図である。図１４においては、蓋部の内側から電源ボックス３０内を見た図を示している。
【００４７】
図１４，１５に示すように、変形例の棚板３０６には、図４に示す蓋部３１０側から支柱受け部３０１側に延びる方向に平行な溝部３０７が形成されている。そのため、棚板３０６上に載置された蓄電池３３０の下面の一部は、棚板３０６と非接触となる。言い換えると、下側から２段目以上の位置に収容される蓄電池３３０を支持する電池支持部は、蓄電池３３０の下面の一部が電池支持部に非接触となるように蓄電池３３０を支持する。
【００４８】
このようにすることにより、蓄電池３３０の下面と溝部３０７との間の隙間に手または治具を挿入して、棚板３０４と非接触となっている蓄電池３３０の下面と蓄電池３３０の側面とを保持して蓄電池３３０を電源ボックス３０から取り出すことができる。
【００４９】
本実施形態の変形例の太陽電池式照明灯においては、電源ボックス３０の小型化を図ることによって、電源ボックス３０内に収容された蓄電池３３０の外周のスペースを削減しても、電池受部３４０および棚板３０６の溝部３０７を用いて、蓄電池３３０の電源ボックス３０への出し入れを容易に行なうことができる。
【００５０】
以下、本発明の実施形態３に係る太陽電池式照明灯について図面を参照して説明する。
（実施形態３）
本実施形態は、電池収容部が支柱の内部に設けられている点のみ実施形態１，２と異なるため、他の構成については説明を繰り返さない。
【００５１】
図１６は、本発明の実施形態３に係る太陽電池式照明灯の外観を示す側面図である。図１７は、本実施形態に係る電池収容部の一部の構成を示す正面図である。
【００５２】
図１６，１７に示すように、本実施形態の太陽電池式照明灯９００は、光を受光して発電する太陽電池パネル１０と、太陽電池パネル１０によって発電された電気によって発光する光源を含む灯具２０とを備える。また、太陽電池式照明灯９００は、太陽電池パネル１０によって発電された電気の一部を蓄える蓄電池３３０と、蓄電池３３０を収容する電池収容部である棚部８００と、太陽電池パネル１０、灯具２０および棚部８００を支持する支柱４００とを備える。
【００５３】
支柱４００の側部には、蓄電池３３０を出し入れ可能とする開口が設けられている。その開口を開閉するための扉部４１０が、支柱４００にボルトで締結されている。
【００５４】
棚部８００においては、２枚の平板状の脚部８１０が互いに対向するように所定の間隔を置いて配置されている。脚部８１０は、支柱４００と連結されている。２枚の脚部８１０同士の間に、鉛直方向に所定の間隔を置いて棚板８２０が脚部８１０に取付けられている。棚板８２０上に電池受部３４０が設置され、電池受部３４０に蓄電池３３０が載置されている。
【００５５】
このようにした場合にも、把持部３４１を掴んで扉部４１０側に引出すことにより、電池受部３４０とその上に載置されている蓄電池３３０を容易に棚部８００から取り出すことができる。
【００５６】
よって、本実施形態の太陽電池式照明灯９００においては、支柱４００の小型化を図ることによって、支柱４００内に収容された蓄電池３３０の外周のスペースを削減しても、電池受部３４０を用いて蓄電池３３０の棚部８００への出し入れを容易に行なうことができる。なお、本実施形態と実施形態１または実施形態２とを組合わせてもよい。
【００５７】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００５８】
１，９００  太陽電池式照明灯、１０  太陽電池パネル、２０  灯具、３０  電源ボックス、４０，４００  支柱、３００  側壁部、３０１  支柱受け部、３０２  底部、３０３，３０４，３０６，８２０  棚板、３０５  開口部、３０７  溝部、３１０  蓋部、３２０  天井部、３３０  蓄電池、３４０，５４０，６４０，７４０  電池受部、３４１，５４１，６４１，７４１  把持部、３４２，５４２，６４２，７４２  主部、３５０  コントローラ、４１０  扉部、６４３，７４３  突出部、８００  棚部、８１０  脚部。
【図１】
2012146550.tif 000003
【図２】
2012146550.tif 000004
【図３】
2012146550.tif 000005
【図４】
2012146550.tif 000006
【図５】
2012146550.tif 000007
【図６】
2012146550.tif 000008
【図７】
2012146550.tif 000009
【図８】
2012146550.tif 000010
【図９】
2012146550.tif 000011
【図１０】
2012146550.tif 000012
【図１１】
2012146550.tif 000013
【図１２】
2012146550.tif 000014
【図１３】
2012146550.tif 000015
【図１４】
2012146550.tif 000016
【図１５】
2012146550.tif 000017
【図１６】
2012146550.tif 000018
【図１７】
2012146550.tif 000019